Podtech/llm-jp-corpus-v4-ja_patent huggingface dataset:
(57)【要約】【課題】本発明は、従来の合わせガラス、板ガラスは単純な平面であり様々なガラスの表情を表現しづらく、設計者の自由な発想を表現できる室内外で使用可能な合わせガラスを提供しようとするものである。【解決手段】少なくとも３枚の板ガラスで構成する合わせガラスを帯状又は矩形などに形成し辺部に嵌合部を設け拘止し連設して嵌合し羽目板状などのガラス面を創り出すことを特徴とする合わせガラス。【選択図】  図８
2005154271.tif 000002
【特許請求の範囲】
【請求項１】
少なくとも３枚の板ガラスで構成する合わせガラスを帯状又は矩形などに形成し辺部に嵌合部を設け拘止し連設して羽目板状などのガラス面を創り出すことをすることを特徴とする合わせガラス。
【請求項２】
前記合わせガラスの一側の辺部に凸部及び／又は凹部を、対面する辺部に凸部及び／又は凹部を設けた請求項１の合わせガラス。
【請求項３】
前記合わせガラスの全ての辺に凸部及び／又は凹部を設けた請求項１の合わせガラス。
【請求項４】
前記合わせガラスの辺部に配設した凸部及び凹部に繋部材を嵌合し連設する請求項１〜３のいずれかの合わせガラス。
【請求項５】
前記合わせガラスの端部嵌合部に緩衝材及び又は止水材を配設した請求項１〜４のいずれかの合わせガラス。
【請求項６】
少なくとも３枚の板ガラスで構成する合わせガラスのいずれか一枚又は複数枚に擦り加工、彫刻、彩色などを施した請求項１〜５のいずれかの合わせガラス。
【発明の詳細な説明】
【技術分野】
【０００１】本発明は、合わせガラスに関するものである。
【背景技術】
【０００２】従来、ガラスを積み重ねて使用するものは、ガラスブロックなどがあるが透視性が悪く又厚さも厚く使用される場所が限られてしまい様々な場所で使用することが自由でない。
【発明の開示】
【発明が解決しようとする課題】
【０００３】本発明は、前述如き事実に鑑みなされたものであり、設計者の自由な発想を表現できる室内外で使用可能な合わせガラスを提供しようとするものである。
【課題を解決する為の手段】
【０００４】少なくとも３枚の板ガラスで構成する合わせガラスを帯状又は矩形などに形成し辺部に嵌合部を設け拘止し連設して嵌合し羽目板などのガラス面を創り出すことを特徴とするものである。
【０００５】本発明の合わせガラスは水平方向に使用するばかりでなく垂直方向又、矩形、多角形などとの組み合わせにより様々な形態とすることが可能である。
【０００６】請求項６に記載のように擦り加工、彫刻、エッチング、彩色加工を施し建物ばかりでなく様々なガラス製品にも使用することが可能である。
【発明を実施するための最良の形態】
【０００７】本発明の実施の形態を添付図面及び符号に基づいて詳細に説明する。図１は本発明の一例を示す断面図であり、一方の辺部に台形状の凸部１を設け他方の辺部に凹部２を配設した一例である。図２は、一方の辺部の凸部１を凹部２と嵌合するため凸部１を薄く加工したものである。
図３は、上下に凹部２を設け繋部材３を挿嵌した例の断面図である。図４〜６は辺部嵌合部分に緩衝材及び又は止水材を設けた例を示す断面図である。図７〜８は、本発明合わせガラスを連設した例の斜視図である。図９は上下両辺部に凹部２を設け繋部材と止水材を一体とした例であり図１０は上下両辺部を凸部１としＨ型繋部材３を配設した別例である。図１１〜１４は本発明合わせガラスの組み合わせの一例である【０００８】嵌合部に使用する繋部材３は、ガラス、金属、樹脂のいずれかにより形成され止水材及び又は緩衝材と別体又は一体をなす。【０００９】本発明における合わせガラスの形状は上述のものに限定されるものではないことは勿論である。
【発明の効果】
【００１０】本発明の合わせガラスを窓、ショーウインドウなどに使用した場合、様々な意匠が可能なほか、玄関ホール、店舗などの大きなガラス面に使用する場合繋ぎ部分が目視可能な為に幼児などの危険な衝突を防止する効果も期待できる。又破損交換などの場合全面交換を必要とせず必要な枚数のみの部分交換が可能であり経済面においても貢献できるものとなりうる。
【図面の簡単な説明】
【００１１】
【図１】本発明合わせガラスの一例の断面図。
【図２】本発明合わせガラスの例の断面図。
【図３】本発明合わせガラスの例の断面図。
【図４】本発明合わせガラスの例の断面図
【図５】本発明合わせガラスの例の断面図
【図６】本発明合わせガラスの例の断面図
【図７】本発明合わせガラスの一例の斜視図
【図８】本発明合わせガラスの例の斜視図
【図９】本発明合わせガラスの例の断面図
【図１０】本発明合わせガラスの組み合わせ一例の側面図
【図１１】本発明合わせガラスの組み合わせ例の側面図
【図１２】本発明合わせガラスの組み合わせ例の側面図
【図１３】本発明合わせガラスの組み合わせ例の側面図
【図１４】本発明合わせガラスの組み合わせ例の側面図
【符号の説明】
【００１２】１  凸部
２  凹部
３  繋部材
４  緩衝材、止水材
５  緩衝止水一体材
【図１】
2005154271.tif 000003
【図２】
2005154271.tif 000004
【図３】
2005154271.tif 000005
【図４】
2005154271.tif 000006
【図５】
2005154271.tif 000007
【図６】
2005154271.tif 000008
【図７】
2005154271.tif 000009
【図８】
2005154271.tif 000010
【図９】
2005154271.tif 000011
【図１０】
2005154271.tif 000012
【図１１】
2005154271.tif 000013
【図１２】
2005154271.tif 000014
【図１３】
2005154271.tif 000015
【図１４】
2005154271.tif 000016
(57)【要約】【課題】  刈り取った雑草（水草を含む）や剪定した木の枝葉などの植物廃棄物を、短期に発酵させて堆肥化する方法として、優れた通気性と保水性及び肥効の持続性を有する有機質の肥料を形成可能なものを提供する。【解決手段】  植物廃棄物を、細断機（草刈機など）や破砕機を用いて、例えば約１０ｃｍ前後の長さに細断した後、適当量の発酵（堆肥化）促進剤（堆肥化微生物、有機質肥料、無機質肥料等）とともに、籾殻を、細断した植物廃棄物に対する容積比率で１：０．４〜０．６を添加して、攪拌機（ミキサー等）で１〜６日間間欠的又は連続的に攪拌する。【選択図】        なし【特許請求の範囲】
【請求項１】
植物廃棄物を細断した後、堆肥化促進剤とともに籾殻を添加して、間欠的又は連続的に攪拌することを特徴とする、植物廃棄物の短期堆肥化方法。
【請求項２】
籾殻を、細断した植物廃棄物に対する容積比率において、１：０．４〜０．６添加することを特徴とする、請求項１記載の植物廃棄物の短期堆肥化方法。
【発明の詳細な説明】
【技術分野】
【０００１】
この発明は、刈り取った雑草（水草を含む）や、剪定した木の枝葉などの植物廃棄物を短期に発酵させて、植物質、従って有機質の肥料を形成するための堆肥化方法に関するものである。
【背景技術】
【０００２】
雑草等の短期の堆肥化方法としては、雑草等を細断（細砕）した後、発酵（堆肥化）促進剤を添加して、間欠的又は連続的に攪拌する方法が知られている（例えば、特許文献１〜３参照）。
【０００３】
しかしこの公知の堆肥化方法で形成した有機質の肥料は、特に通気性と保水性及び肥効の持続性が不十分であるという問題を有している。
【特許文献１】特開平９−２４９４７８号公報
【特許文献２】特開平１１−２４０７８４号公報
【特許文献３】特開２００３−３０６３９３号公報
【発明の開示】
【発明が解決しようとする課題】
【０００４】
この発明は、上記のような問題に鑑み、優れた通気性と保水性及び肥効の持続性を有する有機質の肥料を形成可能な植物廃棄物の短期堆肥化方法を提供することを課題としている。
【課題を解決するための手段】
【０００５】
この発明に係る植物廃棄物の短期堆肥化方法は、特許請求の範囲の請求項１に記載したように、植物廃棄物を細断した後、発酵促進剤とともに籾殻を添加して、間欠的又は連続的に攪拌することを課題解決の骨子としている。
【０００６】
この発明の堆肥化方法によると、殆ど堆肥化していない状態の籾殻が、植物廃棄物が発酵して形成される有機質の肥料分を吸着して、外観的には籾殻が主体の形態になり、この結果籾殻固有の通気性、保水性と肥効の持続性に優れた肥料が得られることを確認した。
【０００７】
この発明の堆肥化方法における籾殻の添加量は、堆肥化する植物廃棄物の性状や処理量等によって異なるが、すべての籾殻が植物廃棄物の発酵した有機質の肥料分の吸着状態になるようにする点から、一般には、特許請求のは範囲の請求項２に記載のように、細断した植物廃棄物との容積（体積）比率において１：０．３〜０．７、特に１：０．４〜０．６となるようにする。
【発明の効果】
【０００８】
この発明の請求項１の堆肥化方法によれば、大部分の植物廃棄物の発酵により形成される有機質の肥料分が籾殻に吸着されて、籾殻が主体の肥料が形成される。従ってこの肥料は、籾殻が有する優れた通気作用、保水作用及び肥料分吸着による肥効の持続作用を奏する。
【０００９】
またこの方法は、従来焼却処分等の形で廃棄処分されることが多かった籾殻を有効利用するので、実用上きわめて有用である。
【００１０】
この発明の請求項２の籾殻の細砕した植物廃棄物に対する添加比率によれば、すべての籾殻が、植物廃棄物から形成される大部分の有機質の肥料分を過不足なく吸着した均質状態になる。
【発明を実施するための最良の形態】
【００１１】
この発明の方法における植物廃棄物の細断は、適宜の細断機（草刈機等）や破砕機を用いて、長さが例えば約１０ｃｍ前後の形にすることができる。
【００１２】
細断した植物廃棄物に対して添加する発酵促進剤としては、公知の堆肥化微生物、有機質肥料、無機質肥料（窒素肥料など）等を用いることができる。
【００１３】
細断した植物廃棄物に対する籾殻の添加は、前述のように、１：０．３〜０．７、なるべくは１：０．４〜０．６の容積比率で行うことが望ましい。
【００１４】
籾殻添加後の攪拌は、適宜の攪拌機（ミキサー等）を用いて、一般には１〜６日間、間欠的又は連続的に行うことができる。
【実施例１】
【００１５】
田畑の土手で刈り取った雑草４．８ｍ３を、自走式草刈機を介して細断して、２．４ｍ３に減容した状態で、嫌気性複合微生物８００ｇ、硫安８００ｇ及び籾殻１．３４ｍ３とともに、電動化したトラックミキサー（コンクリートミキサー車のミキサー）に装入して、一日半（３６時間）、４５分間隔で１５分間ずつ、１０ｒｐｍのドラム回転数で攪拌した。
【００１６】
得られた肥料は１．４４ｍ３で、雑草分は完全に堆肥化されるとともに、堆肥化された肥料分の大部分が籾殻に吸着され、当初の黄色から濃い土色に変色した籾殻が主体の状態になっていた。
【００１７】
この肥料を単独及び畑土と混合して、プランターにおける草花の栽培に使用したところ、公知の堆肥化方法による肥料を畑土に混合したものに比して、通気性、保水性及び肥効の持続性がより良好で、草花の成長にも差が認められた。
【実施例２】
【００１８】
湖で採取した水草（布袋葵）５．０ｍ３を、自走式草刈機で細断して、２．１ｍ３まで減容した後、嫌気性複合微生物９００ｇ、硫安９００ｇ及び籾殻１．１ｍ３とともに、電動化したトラックミキサーに装入して、二日半（６０時間）、１時間間隔で１０分間ずつ、８ｒｐｍのドラム回転数で攪拌し、１．２ｍ３の肥料を得た。
【００１９】
この肥料は、実施例１と同様、水草がほぼ完全に堆肥化されて、土色に変化した籾殻が主体の状態になっており、これを実施例１と同じ形態で用いて、公知の肥料の場合と比較したところ、同様の良好な結果が得られた。
【実施例３】
【００２０】
公園で剪定した木の細枝と葉４．６ｍ３を、自走式草刈機で細断して、２．０５ｍ３まで減容した状態で、嫌気性複合微生物１ｋｇ、硫安１ｋｇ及び黄色の籾殻１．１ｍ３とともに、電動化したトラックミキサーに装入して、五日間（１２０時間）、１時間間隔で１０分間ずつ、１２ｒｐｍのドラム回転数で攪拌し、１．４ｍ３の肥料を得た。
【００２１】
この肥料は、実施例１及び２と同様、木の枝の一部を除いてほぼ完全に堆肥化されて、土色化した籾殻が主体の状態になっており、これを実施例１及び２と同じ形態で用いて、公知の肥料の場合と比較したところ、ほぼ同じ結果が得られた。
(57)【要約】【課題】  一般家庭の排水管を、給水用ホースリールと清掃用ホースリールとが一体化されたホースリール、清掃用ホースリールの先端の軽量ノズルの穴から水道水を逆噴射させて水道水圧を利用し家庭の排水管、管内の清掃を得ることである。【解決手段】外水栓に給水用ホースを接続し他方の清掃用ホースの先端にノズルに角度のついた小さな穴を４ヶ所位開け、排水パイプにノズルを差込み外水栓の蛇口を開け、水道水を管内で逆噴射させ水圧を利用して動力なしでノズルを前進させ家庭の排水管、管内清掃できることを一体的の構成とする。【選択図】    図１
2005296910.tif 000002
【特許請求の範囲】
【請求項１】
家庭の外水道（屋内の水栓可）に二つに分かれたホースリールの片方のホースを接続し、他の片方ホースの先端に図１プラスチックで小穴をあけて作られた軽量ノズルを取り付け、水道水の蛇口を開き、水道の圧力を使用し、排水管の中で水を逆噴射させ、動力なしでホースを前進させ家庭内の排水管を清掃するシステム。
【請求項２】
前記二つに分かれたホースリールの一方は外水道（屋内水栓可）に接続し排水管を清掃するところまでホースを伸ばす。その時点まで他方の清掃するホースリールは、作動はせず排水管を清掃する場所にきた時に清掃用のホースリールを排水管の桝蓋を開け、桝内の排水管にプラスチックに小穴をあけて作られたノズルの先端を排水管に差しこみ蛇口を開き管内で水道水を逆噴射させてホースリールを動力なしで進ませながら家庭内の排水管を清掃するシステム。
【発明の詳細な説明】
【発明の詳細な説明】
【技術分野】
【０００１】本発明は、既設の建物、及び一般家庭の排水管を動力なしで清掃するシステムであり、更に、専門の業者に依頼することなく住人がごく簡単に住居排水管を清掃できるシステムに関するものである。【０００２】  従来、家庭の排水管は、ゴミや油が流れて排水パイプや汚水桝のつまりの原因や悪臭のもとになる。つまりを直すためには、家庭内のそれぞれの排水パイプにゴミ等を溶かす薬品を流入したり、清掃専門の業者に依頼しているものである。【０００３】  更に、排水のつまりを直す為、薬品等を使用すると下水処理場にも支障をきたし経費がかかってしまう。更に専門業者に依頼すると別紙のように、車両及び動力を使用する為に金額的にも高く家庭にも大変な経費の負担がかかるものである．
【発明が解決しようとする課題】
【０００４】  然しながら、家庭内で直そうとするときは、針がね、及び棒等で排水パイプに差込み、押し込みながらつまりを直そうとするが、直す距離に限度がある。更に排水パイプを破損する等欠点がある．
【課題を解決するための手段】
【０００５】  この請求項１は、家庭内の外水道（屋内水栓可）にホースリールの片方を接続し他方を排水パイプに差込み動力なしで水道の水圧を利用して家庭内の排水管を清掃するシステムは、給水、清掃，２つのホースリールを、一体的に構成したことを構成上の特徴とする。
【０００６】  請求項２の発明の家庭内の排水管を清掃するシステムは、給水用と清掃用に分けられ一体化したホースリールの清掃用の片方の先端にプラスチック（軽量であれば良い）の先端に角度をつけた小穴を（１ミリぐらい）を４ヶ所位明け、排水パイプの中で水道水を逆噴射させながら軽量ノズルを動力なしで前進させて家庭内の排水管を清掃させることを構成上の特徴とする．
【作用】
【０００７】  本発明の作用は、一般家庭の汚水排水管の清掃を給水清掃の機能を併せ持ったホースリールにより水道水の圧力を利用し動力なしで水道水を管内で逆噴射させて管内を清掃しながらノズルを前進させる作用を有するものである。
【０００８】  本発明の目的は，一般家庭の排水管を修理専門業者に依頼することなく、経費を掛けずに住人が動力なしで、給水清掃を奏で一体化された家庭用排水管清掃システム（ウォータースネーク）により、いつでも簡単に清掃できる、家庭用清掃システムを提供することに有る。更には、ちょっとした心がけで排水設備が長持ちするうえ、環境保護にもつながるものである。尚、給水・排水ホースリールは一体化でなくとも給水ホースリールが長ければその先端にノズルをつけても良い。
【発明を実施するための最良の形態】
【０００９】  本発明の家庭用排水管清掃システム（ウォータースネーク）を実施例の形態によって図面を参照し具体的に説明する。【００１０】  本発明は、家庭内の排水管を専門業者に依頼せず住人が簡単に動力を使用せず安価に清掃できるシステムである。
【発明の効果】
【００１１】  本発明の家庭用排水管清掃システム（ウォータースネーク）は、前述の構成により、いつ何時でも動力は必要とせず家庭内の排水管の清掃ができ、経済的にも安価で接続部もワンタッチで接続でき、衛生的で環境保護にもつながる。且つ誰にでも簡単に使用でき、画期的で実用性の高い発明である。
【図面の簡単な説明】
【００１２】
【図１】本発明の家庭用排水管清掃システム（ウォータースネーク）の実施例の形態を示す。
【符号の説明】
【００１３】  ａは屋外水栓、ｂは給水用ホースリールに接続する耐圧ホース  ｃは給水用ホースリール、ｄは排水パイプ清掃用ホースリール  ｅは清掃用耐圧ホース、ｆは、水道圧を使用し、水を逆噴射させて前進する軽量ノズル、ｇは、家庭内汚水パイプを図で示したものである。
【図１】
2005296910.tif 000003
(57)【要約】【課題】  下水道処理場等で発生する汚泥焼却灰を処理過程の中で有効利用するため、汚泥焼却灰を乾燥させ、粉砕・分級して主原料とし、添加剤を混合して製造する凝集剤を提供する。【解決手段】  下水処理場等の脱水設備・焼却設備付近に凝集剤製造設備を設け焼却設備から搬出された汚泥焼却灰を乾燥・粉砕・分級して混合設備に導入し、主原料として、計量された添加剤とともに混合して凝集剤を製造する。製造された凝集剤は脱水設備に入る前の汚泥に添加し脱水効率を改善した後、脱水機に投入し、その後、焼却設備にて焼却する。このように製造された凝集剤を使用することにより、汚泥焼却灰の有効利用を図り、資源の消費を抑え、廃棄物を最小化し、地球への負荷を限りなくゼロに近づける循環型社会形成に資することを特徴とする。【特許請求の範囲】
【請求項１】
下水道処理場等で発生する汚泥焼却灰を乾燥させ、粉砕・分級して主原料とし、添加剤を混合して製造する凝集剤。
【発明の詳細な説明】
【技術分野】
【０００１】  この発明は、下水道処理場等で発生する汚泥焼却灰の有効利用の一つとして、汚泥焼却灰を主原料とする凝集剤に関するものである。
【背景技術】
【０００２】  従来の下水道処理場等で発生する汚泥は焼却して灰として安定させてから、一部有効利用しているものもあるが、多くは処分に困り、結果的に埋立て処分をしていた。
【発明の開示】
【発明が解決しようとする課題】
【０００３】  これには次のような欠点があった。
（イ）下水道処理場等で発生する汚泥焼却灰は、投棄料を支払って埋立て処分をしていた。
（ロ）また、近年は地球環境問題が深刻化し、ゼロエミッションが叫ばれるようになり廃棄物を最小化しなければならない。
（ハ）一部は、有効利用しているものもあったが、多額の設備投資をしていた。
（ニ）有効利用方法も下水処理プロセスに関与するものがなかった。
本発明は、これらの欠点を除くためになされたものである。
【課題を解決するための手段】
【０００４】  下水道処理場等で発生する汚泥焼却灰を乾燥させ、粉砕・分級して主原料とし、添加剤を混合して製造する。
本発明は、以上のように製造した凝集剤である。
【発明の効果】
【０００５】  これには次のような効果がある。
（イ）下水道処理場等で発生する汚泥焼却灰が、有効利用でき、投棄量が減り、処分費も少なくなる。
（ロ）下水処理プロセス中で有効利用ができるため、外部へ搬出しなくても良い。
本発明は、これらの効果をもたらすものである。
【発明の実施するための最良の形態】
【０００６】  下水処理場等の脱水設備・焼却設備付近に凝集剤製造設備を設け焼却設備から搬出された汚泥焼却灰を凝集剤製造設備に導入し、乾燥・粉砕・分級させた汚泥焼却灰を主原料として計量し、計量された添加剤とともに混合して凝集剤を製造する。製造された凝集剤は脱水設備に入る前の汚泥に添加し脱水効率を改善した後、脱水機に投入し、焼却設備にて焼却する。また、余剰に生産された凝集剤は、袋詰め等をして保管する。
本発明は以上のような製造過程を経て製造され、汚泥焼却灰の有効利用を図ることにより、資源の消費を抑え、廃棄物を最小化することにより、地球への負荷を限りなくゼロに近づける循環型社会形成に資するものである。
(57)【要約】【課題】熟練工でなければできないきつい作業をアルバイトでも熟練工と同等以上に短期間で施工できる器具を提供する。【解決手段】箱型１本体の３上ぶたつかみに親指以外の指を掛け２押し出し板に親指をかけ片手で押し出し乍ら面移動し平滑にする。箱内でパテが硬化しても３の上ぶたつかみを開き４の底板を６の底板止めからはずし２の押し出し板を１の本体からはずしてクリーニングする。又、押し出し板の底にはマジックテープでパッキンの着脱をしこれもクリーニングする。【選択図】図１2005296914.tif 000003
2005296914.tif 000002
【特許請求の範囲】
【請求項１】
反応硬化型石こう系パテ及び接着剤を箱型の解体できる塗布器に入れ押出しを片手でおこないながら均一な平面をつくる。
【請求項２】
塗布口の広さを調整する。
【請求項３】
棒の押し出しをつけ高所作業用にする。
【請求項４】
本体内側の養生カバーをつけクリーニングを簡単にする。
【請求項５】
上、下のふたをスライド式にする。
【請求項６】
もれ防止のパッキンはマジックテープで着脱式とする。
【請求項７】
使いすて用に紙でつくる。
【発明の詳細な説明】
【発明の詳細な説明】
【発明の属する分野】
【０００１】本発明は建築内装において仕上げ工事の下地目地ビス頭にパテ及び接着剤を塗布し平滑にする箱型の分解できる器具である。
【背景技術】
【０００２】従来は熟練した職人の技とパテべらしかなかった。
【発明が解決しようとする課題】
【０００３】熟練の職人だけしかできないという難点を解消する為になされたものである。
【課題を解決するための手段】
【０００４】反応硬化型石こう系のパテ及び接着剤を解体できる箱型の器具に入れ片手で押し出し乍ら不陸やコーナー等に接着させ平滑にする。
【発明を実施するための最良の形態】
【０００５】以下本発明の実施の形態について説明する。
（イ）１の本体に開閉できる３の上ぶたつかみと４の底板をつけパテを入れる前に３の上ぶたつかみを閉じ２の押し出し板を上に引き上げる。
（ロ）逆にしてパテをヘラで入れ４の底板を閉じ６の底板止めで止める。３の上ぶたつかみに指を入れ２の押し出し板を親指で押し５の塗布口から出るパテを面移動しながら平滑にする。
【発明の効果】
【０００６】経験のない者でも熟練工のような作業が簡単に早く、しかも仕上がりが均一にできる。
【図面の簡単な説明】本発明の１の本体の３上ぶたつかみをとじて２の押し出し板を上に引き逆にしてからヘラで１の本体にパテを入れ４の底板を６の底板止めでとめる。
本体１を作業面に当て３の上ぶたつかみを親指以外でつかみ２の押し出し板に親指をかけ押し出し乍ら面移動することにより５の塗布口からパテ及び接着剤がでて面が平滑になる。
【符号の説明】
１  本体                        ５  塗布口
２  押し出し板                  ６  底板止め
３  上ぶたつかみ                ７  ガイドローラー
４  底板                        ８  ちょう板
【図１】
2005296914.tif 000004
(57)【要約】【課題】従来技術の調理器具で複数種類の調理をするには、例えば炒め物や、温めもの、焼き物、卵焼き等を調理するには、各種類ごとの調理を終えるごとに、その都度調理器具を洗い直し、別の調理をする必要があった、本発明の調理器具の形状は同時に複数の調理を行うことが可能であるため調理時間の短縮が可能であり、また各種類ごとの調理を終えるごとの、洗い直しの作業を省く事を提供する。【解決手段】調理器具の内に隔壁を設ける。隔壁は複数設ける事が可能である。【選択図】 図１
2005296421.tif 000002
【特許請求の範囲】
【請求項１】
調理器具に複数の隔壁を設けたことを特徴とする調理器具。
【請求項２】
隔壁で仕切られた一部の部分に複数の、Ｄ凸凹形状を設けたことを特徴とする請求項１記載の調理器具。
【請求項３】
隔壁で仕切られているため、同時に複数の種類の調理作業を可能にすることで調理時間が短縮され、尚かつ洗い直し作業を軽減する事を特徴とする請求項１記載の調理器。
【発明の詳細な説明】
【技術分野】
【０００１】
本発明は、調理に用いる調理器具の形状に関する。
【背景技術】
【０００２】
従来技術において、調理に用いる調理器具の形状は隔壁がないものである。
【発明の開示】
【発明が解決しようとする課題】
【０００３】
しかしながら、従来の技術の調理器具で複数種類の調理するにあたり、例えば炒め物や、温めもの、焼き物、卵焼き等を調理するにあたり、各種類ごとの調理を終えるたびその都度調理器具を洗い直し、その後別種類の調理をする必要がある。しかるに調理時間の短縮、及び洗い直し作業の軽減を提供することを課題とする。
【課題を解決するための手段】
【０００４】
以上の課題を解決するために、第一発明は、調理器具に複数の隔壁を設けたことを特徴とする調理器具である。
また、第二発明は、隔壁で仕切られた一部の隔壁内の底板には、複数の、Ｄ凸凹形状が設けられていることを特徴とする調理器具である。例えば、Ｃ隔壁内部である。
【発明の効果】
【０００５】
第一発明、または第２発明によれば、一つの調理器具で複数種類の調理をするにあたり、別種類の調理ごとに調理器具の洗い直しの必要がなく、一つの調理器で同時に別の種類の調理が可能であり、調理時間の短縮、及び洗い直しの手間を省く事を提供する。
【発明を実施するための最良の形態】
【０００６】
この発明の一実施形態を図２に示す。
調理器具、１本体の材質はアルミ、もしくは鋳鉄製、鍛造製であり、１本体の内部には複数の、２隔壁が設けてある。
【０００７】
調理器具の、１本体は全体として矩形形状をなしており、短辺側に、３取手が取り付けられている。
【０００８】
さらに、１本体の表面にはシリコンセラミック等の膜（図示せず）がコーテングされている。
【０００９】
図２で示すとうり、Ａ隔壁内及び、Ｂ隔壁内の底板は平らであり、Ｃ隔壁内の底板には、複数の、Ｄ凸凹が形成されている。  
【００１０】
Ｄ凸凹の断面は円弧がついた鋸歯形状で、隔壁された調理器具内の、Ｃ部の領域内底板部に短辺方向に連続的に形成されている。
【実施例】
【００１１】
図２で示す通り、隔壁された部分の例えば、Ａ隔壁内で卵焼き、Ｂ隔壁内は炒めもの、Ｃ隔壁内では魚類、肉類等の焼き調理が同時に行える。
「他の実施形態」
図２の実施形態では、１本体の形状は矩形形状であるが、１本体の形状は他の形状、例えば円形、楕円形でも良い。尚、Ｃ隔壁内の、Ｄ凸凹形状は他の形状でも良い。
【図面の簡単な説明】
【００１２】
【図１】本発明の一実施形態を示す斜視本体図である。
【図２】本体詳細図
【符号の説明】
【００１３】
１調理器具本体である。
２隔壁である。
３凸凹状の突起である。
【図１】
2005296421.tif 000003
【図２】
2005296421.tif 000004
(57)【要約】      （修正有）【課題】身近な装置を利用してストレス状態を容易に確認できるようにした携帯電話によるストレス確認装置を提供する。【解決手段】  携帯電話器に、体温を検知する体温センサーを設けるとともに、前記体温センサーの出力に応じて、体温の値に応じて複数に区分された精神状態の区分出力を得る手段と、前記区分出力に応じた表示を行う手段と、前記精神状態の区分出力はテーブルデータに格納され、メール機能により送信されるストレス確認装置。【選択図】      図１
2005296077.tif 000002
【特許請求の範囲】
【請求項１】
携帯電話器に、体温を検知する体温センサーを設けるとともに、前記体温センサーの出力に応じて、体温の値に応じて複数に区分された精神状態の区分出力を得る手段と、前記区分出力に応じた表示を行う手段とを設けたことを特徴とする携帯電話によるストレス確認装置。
【請求項２】
前記精神状態の区分出力は、テーブルデータとして格納されていることを特徴とする請求項１記載の携帯電話によるストレス確認装置。
【請求項３】
前記精神状態の区分出力は、メール機能により送信されることを特徴とする請求項１記載の携帯電話によるストレス確認装置。
【発明の詳細な説明】
【技術分野】
【０００１】
本発明は、体温がストレス状態により変動することを利用して、ストレスを確認できるとともに、且つ、身近な携帯電話器を利用することで特別な器具を購入する必要がない携帯電話によるストレス確認装置に関する。
【背景技術】
【０００２】
従来から、ストレスの状態を数値的に計測する装置が知られている。この装置を利用するユーザは、計測した数値を認識し、意識的にリラックス状態になるようにセルフコントロールするのである。
【０００３】
ストレスの状態を数値的に計測する手段は、脳波計測、皮膚電気抵抗計測、皮膚温度計、血圧計などが存在する。これらの計測手段は、いずれも専門の医師が治療のために使用するものであり、高価である。また携帯型のものも工夫されたが、ユーザにとっては持ち歩く手間が増えて、忘れることもあり、有効な利用が成されていない。
【発明の開示】
【発明が解決しようとする課題】
【０００４】
上記のように、従来の計測手段は、専門の医師が治療のために使用するものであり、高価である。また携帯型のもであると、ユーザにとっては持ち歩く手間が増えて、忘れることもあり、有効な利用が成されていない。
【０００５】
そこでこの発明は、身近な装置を利用してストレス状態を容易に確認できるようにした携帯電話によるストレス確認装置を提供することを目的とする。
【課題を解決するための手段】
【０００６】
この発明は、携帯電話器に、体温を検知する体温センサーを設けるとともに、前記体温センサーの出力に応じて、体温の値に応じて複数に区分された精神状態を表示する手段を設けたことを特徴とする。
【発明の効果】
【０００７】
上記の手段によると、極めて身近な携帯電話器でストレス確認が可能となり、かつ、判定手段も容易に携帯電話器のサービスアプリケーションとして装備できるために、安価で有効に実施可能である。
【発明を実施するための最良の形態】
【０００８】
以下この発明の実施の形態を図面を参照して説明する。図１はこの発明の一実施の形態を示す概要図である。携帯電話器１００の本体には、センサー２００が設けられている。ストレス確認モードに切換えるために、例えばメニューボタン１０１を押して、“ストレス確認”という表示位置に、カーソルボタン１０２にほりカーソルを合わせ、ボタン１０１を押し下げる。これにより、表示部３００には、“TRANS”、“RELAX”、“CALM”、“TENSE”、“STRESS”という表示が得られる。
【０００９】
ここで、センサー２００に指を押し当てることにより、上記“TRANS”、“RELAX”、“CALM”、 “TENSE”、“STRESS”のいずれかがマークされる。例えば、いずれかのエリアの色が赤く着色される。これにより、“TRANS”に色がついた場合は、トランス状態、“RELAX”に色がついた場合は、リラックスした状態、“CALM”に色がついた場合は、平静な状態、“TENSE”、に色のついた場合は緊張状態、“STRESS”に色がついた場合はストレス状態と判断することができる。
【００１０】
図２には、上記のストレス確認装置の機能ブロックを示している。センサー２００の出力は、計測回路２０１に入力される。計測回路２０１の出力は、精神状態区分テーブル２０２に入力される。精神状態区分テーブル２０２では、センサ出力の値に応じて上記の“TRANS”、“RELAX”、“CALM”、“TENSE”、“STRESS”表示出力のいずれかが選択され、この表示出力が表示部３００に供給されるようになっている。図２には、ハードブロックが構成されているように記載したが、この機能（計測回路及び精神状態区分テーブル）はソフトウエアにより実現してもよいことは勿論のことである。例えば“TRANS”、“RELAX”では体温34度以上、“CALM”では32度〜34度、“TENSE”32度〜30度、“STRESS”では、30度以下が目安とされている。
【００１１】
またこの発明は上記の実施の形態に対してさらに精神状態区分テーブルの出力をメールで転送できるようにしてもよい。例えば、ユーザのホームドクターのメールアドレスに自動的に転送するように設定できるようにしてもよい。これにより、例えば精神状態が悪化している場合は、ファミリードクターにより、電話によるアドバイスを受けることも可能となる。
【図面の簡単な説明】
【００１２】
【図１】本発明の一実施の形態を示す説明図。
【図２】本発明の要部のブロック機能を示す図。
【符号の説明】
【００１３】
１００…携帯電話器本体、１０１…メニューボタン、１０２…カーソルボタン、２００…センサー、３００…表示部。
【図１】
2005296077.tif 000003
【図２】
2005296077.tif 000004
(57)【要約】      （修正有）【課題】携帯用ブロワにおいて、ブロワを設置して使用する際に固定台等を用意しなくても容易に固定でき、本体の風窓を塞いだり該風窓から異物を吸入し難くする。【解決手段】ブロワの本体１の後部に回転軸２によって該本体１の上部から下部に回動可能に設けられた取っ手部３が、本体１の上部の位置では本体１の外周に密接し、下部では本体１とファンの外枠４の段差ｈを補うようにした。【選択図】図１
2005296232.tif 000002
【特許請求の範囲】
【請求項１】
ハウジングに収納されたモータのモータ軸と一体で回転するファンを有し、該ファンにより流入する空気を導いて一方向に排出する排出口を備えたケーシングを前記ハウジングに結合して成るブロワにおいて、前記ハウジングの前記ケーシングとの結合面と平行な軸を中心として回転可能な取手部を設けたことを特徴とする携帯用ブロワ。
【請求項２】
前記取手部と前記ケーシングとを同時に接地させたとき、前記モータ軸は前記接地面と平行になることを特徴とする請求項１記載の携帯用ブロワ。
【発明の詳細な説明】
【技術分野】
【０００１】
本発明は、吹出し、吸込みが行なえる携帯用ブロワに関するものである。
【背景技術】
【０００２】
従来のブロワを図５、図６に示す。図において、ブロワは、ファンの回転によって吸入口７から吸い込んだ空気を排出口８から排出可能としているので、より大きなファンが必要になる。そのため、該ファンを覆っている外枠４は、ファンの大きさに応じて大きくなり、モータを内臓している本体１よりも大きく形成されるので、外枠４と本体１の間にはｈの段差が生じる。
【０００３】
通常ブロワを使用する際は、該本体１の重心位置の近部に設けたハンドル部５を手で保持して使用するため、バランス良く本体１と外枠４の大きさに違和感がない。しかし、床面６の乾燥作業等でブロワを設置して使用する際は、外枠４が本体１より大きく安定せず常に段差ｈ分だけ本体１側に傾いた状態になるため、別に固定台等で固定する必要があった。また、上記状態では床面６と本体１の風窓９が近接するため、該風窓９を塞いでしまったり、異物を吸入する恐れがあった。
【０００４】
【特許文献１】実開昭５４−１６１６７号公報
【発明の開示】
【発明が解決しようとする課題】
【０００５】
従来の技術によるブロワは、ファンの回転によって吹出し、吸込みを可能としているので、該ファンを覆っている外枠は、モータを内臓している本体よりも大きく形成される。そのため、ブロワを設置して使用する際には安定せず傾いた状態になるので、別に固定台等を用意する必要があった。また、直に置いた時は、本体の風窓を塞いだり該風窓から異物を吸入する恐れがあった。
【０００６】
本発明の目的は、ブロワを設置して使用する際に固定台等を用意しなくても容易にブロワが固定でき、本体の風窓を塞いだり該風窓から異物を吸入し難くすることである。
【課題を解決するための手段】
【０００７】
上記目的は、本体に本体の上部から下部に回動可能な取っ手部を設けることで達成される。
【発明の効果】
【０００８】
本発明によれば、本体に設けた取っ手部が本体の下部に位置する時に本体を支持し受け台の役割を果たすので、ブロワを水平に保持することが出来る。そのため、風窓が床面に近接しなくなり、該風窓を塞いだり風窓から異物の吸入がし難くなる。また、別に本体を固定する台を用意する必要が無くなり、段取り時間の短縮が図れる。
【０００９】
更に、ブロワを通常使用する際には、取っ手部を本体の上部に位置させると本体の外観に沿った形状で邪魔になることもない。
【発明を実施するための最良の形態】
【００１０】
本発明携帯用ブロワの一実施形態を図１〜図４に示す。なお、図１は本発明ブロワの正面図、図２は図１のブロワの左側面図、図３は本発明ブロワの動作状態を示す正面図、図４は本発明ブロワの動作状態を示す正面図である。
【００１１】
図１〜図４においてブロワの本体１の後部には回転軸２によって回動可能に取付けられたＵ字型の取っ手部３が設けてある。該取っ手部３は、本体１の上部の位置では、本体１の外周に沿って密接するようになり、本体１の下部の位置では、ファンの外枠４と本体１の段差ｈ分だけ本体１より突出するようになっている。
【００１２】
通常ブロワを使用する際には取っ手部３は本体１の上部に保持され、作業者は本体１のハンドル部５を持って使用する。また、床面６の乾燥作業等でブロワを設置して使用する際は、該取っ手部３が本体１の下部に位置する様に回動させ床面６に当接することで本体１は支持され、ブロワは段差ｈに関係なく水平になる。更にブロワを持ち運びは、ハンドル部５でなく取っ手部３を持って行なえる。
【図面の簡単な説明】
【００１３】
【図１】図１は本発明携帯用ブロワの正面図。
【図２】図２は図１の携帯用ブロワの左側面図。
【図３】図３は本発明携帯用ブロワの動作状態を示す正面図。
【図４】図４は本発明携帯用ブロワの動作状態を示す正面図。
【図５】従来の携帯用ブロワの一例を示す正面図。
【図６】図５の携帯用ブロワの動作状態を示す正面図。
【符号の説明】
【００１４】
１は本体、２は回転軸、３は取っ手部、４は外枠、５はハンドル部、６は床面、７は吸入口、８は排出口、９は風窓、ｈは段差である。
【図１】
2005296232.tif 000003
【図２】
2005296232.tif 000004
【図３】
2005296232.tif 000005
【図４】
2005296232.tif 000006
【図５】
2005296232.tif 000007
【図６】
2005296232.tif 000008
(57)【要約】料金支払い時の問題点の解消、携帯性を高め、使い易さに重点を置いた自動二輪車用ケースの発明。【課題】自動二輪車で料金所を通過する際にチケット受け取り後の収納や、料金支払いに時間が掛かり過ぎて、料金所渋滞を起こす場面が多々あった。【解決手段】チケット、カード、金銭の取り出し、収納が簡単に出来る使用し易いケースを自動二輪車運行時に自動二輪車本体に取り付け、料金所での通過時間を短縮する。また携帯性を上げ、持ち運びを簡単に出来るチケットケースを発明した。【選択図】図１
2005296157.tif 000002
【特許請求の範囲】
【請求項１】
チケット・カード・金銭が入る必要最小限の寸法に抑え、チケット受け取り後、短時間で収納出来る事、底面に磁石とベルクロテープを設けた事、透明な上蓋から中にチケットが入っている事が確認出来る事を特徴とし、車体との着脱を簡単に行える事により、高速道路・有料道路等の料金所での料金支払い時間を短縮し、料金所渋滞を緩和する車体着脱方式のチケットケース。
【請求項２】
前記磁石とチケットケースの底面の間にベルクロテープを設けた事を特徴とする、料金支払い時の着脱のし易さ、持ち運び時の携帯のし易さを考慮した請求項１記載のチケットケース。
【発明の詳細な説明】
【技術分野】
【０００１】
この発明は高速道路・有料道路等の料金所での料金支払い時に使用するケースに関する。
【背景技術】
【０００２】
従来の自動二輪車専用・汎用バッグではその寸法、使用法が限られている。
【特許文献１】なし
【非特許文献１】なし
【発明の開示】
【発明が解決しようとする課題】
【０００３】
しかしながら、以上の技術によれば、料金支払い時は停車後手袋を外し、バッグのポケット等からチケット、財布を出して支払わなければならず、時間が掛かっている。四輪自動車と比べ料金所通過に掛かる時間が多く、料金所渋滞の原因との声もある
後方で待っている四輪自動車からのプレッシャーがあり、精神的に苦痛に感じるライダーが多い。
またその寸法が携帯性を悪くしており、気軽に持ち運ぶには不便な大きさであった。
そこで、この発明は、料金支払いを短時間に行え、かつ携帯に便利なようにコンパクトにしたチケットケースを提供することを課題とする。
【課題を解決するための手段】
【０００４】
以上の課題を解決するために、第一発明は、ケース本体裏面にベルクロテープと磁石を設けた事を特徴とするチケットケースである。      
また、第二発明は、ケース側面に蝶番を付け開くようにし、ケース上蓋を透明板として中身を確認し易いようにしている事を特徴とするチケットケースである。
【発明の効果】
【０００５】
第一発明によれば、ケース本体を車両、または身体と取り付け場所を選択できるよう、ベルクロテープと磁石を設けた。
第二発明によれば、上蓋が透明板な為に、料金所を通過するに必要なチケットが入っている事が確認し易く、蝶番により開く為にカード、金銭による支払いが簡単になっている。
また着脱が簡単な事により料金所係員に本体ごと渡して必要な金額を取って貰い支払いを済ます事が出来る。
【発明を実施するための最良の形態】
【０００６】
この発明の一実施形態を、図１に示す。
チケットケースの本体１は金属・樹脂性であり、この本体１の蓋２は、蝶番３により開く事が出来、透明なカバーを設けている。
この本体１には底裏面にベルクロテープ４が取り付けてあり、ベルクロテープ４の下に磁石つきマット５が設けられている。
【０００７】
「実施形態の効果」
この実施形態によれば、蓋２は蝶番３の働きにより開きやすくチケットなど出し入れがし易い。したがって、時間短縮できる。そして本体１の底裏面にベルクロテープ４と磁石付きマット５を設けてあるので料金所係員に本体ごと渡して支払い、受け取り後直ぐに装着が可能である。また自動二輪車から離れる時は磁石付きマットごと、もしくはベルクロテープ４と磁石付きマット５を切り離す事により着衣のポケットに携帯し易い幅にする事が出来る。
【０００８】
「他の実施形態」
図１の実施形態では、底裏面にベルクロテープ４が取り付けてあり、ベルクロテープ４の下に磁石つきマット５が設けられているが、磁石付きマット５をベルクロテープにして車体本体へ貼り付けるようにしても良い。
【図面の簡単な説明】
【０００９】
【図１】この発明の一実施形態を示す平面図である。
【符号の説明】
【００１０】
１  チケットケース本体            ２  上蓋
３  蝶番                          ４  ベルクロテープ
５  磁石つきマット                ６  透明カバー
【図１】
2005296157.tif 000003
(57)【要約】【課題】立っている位置の水平状況を把握すること。現在位置の水平状況は周囲の状況で錯覚を起こし、のぼりを下りに思ったり、前下がりを前上がりに感じたりすることもありゴルフの場合ボールの転がり方向が思うようにいかないとか、とび方向が想像通り出ない場合がある。その錯覚を少しでも減らすこと。【解決手段】靴の立ったままで見える位置に水平器を取り付ける。ゴルフシューズ、スポーツシュ―ズなど一般的な靴はつま先上部が見えやすい。又前後の水平を確認する場合は靴サイドも考えられる。水平器は微妙な水平を読み取るため、水泡、目盛をより精密なものとする。【特許請求の範囲】
【請求項１】
水平状況を判断できる機能を持った水平器を靴に取り付け、靴使用状態で立って
いる面の水平状況を把握できる靴。
【発明の詳細な説明】
【技術分野】
【０００１】
本発明は、立ち止まった時点で足元の面の傾斜状況を把握できる靴。
靴のつま先上部に水平器を取り付け立ったままで水平状況を目視できる。
【背景技術】
【０００２】
特にゴルフのパターの場合、グリーンの傾斜は勘に頼っているが、よく錯覚する
場合を見かける。
【０００３】
その原因は周囲がより斜面勾配が急な場合はその面が平坦あるいは逆勾配に
見えたり、周囲の木々の垂直状態等の錯覚による。
【０００４】
これらの錯覚をなくすために立っている位置で靴を見ることで水平状況を把握し
パターの場合、打ち出し方向の参考にする。又歩行、運動の場合でも自分の位
置の水平状況を把握することはその後の行動の参考に出来る。
【特許文献１】特許公開２０００−１５３０１４
【発明の開示】
【発明が解決しようとする課題】
【０００５】
解決しようとする問題点は、周辺状況により勾配状況の錯覚を少なくすることである。
【課題を解決するための手段】
【０００６】
本発明は、靴に立ったままで見える位置に水平器を片足には前後の、片足には左
右の水平状況を把握できるように取り付ける。
【発明の効果】
【０００７】
本発明の使用により立っている位置、および周辺の勾配状況への錯覚を少なくす
ることが出来る。
【図面の簡単な説明】
【０００８】
【図１】水平器を取り付けた片足の状況。
【図２】水平器を取り付けたもう一方の片足の状況。
【図１】
2005296114.tif 000002
【図２】
2005296114.tif 000003
(57)【要約】【課題】本発明は傾斜地に折りたたみ椅子を簡単にかつ安全に設置できることを最も主要な特徴とする。【解決手段】後脚２に設置されたピン３を前脚１に設けられた凹部５の何れかに移動させることによって脚の接地面９、１０と坐面６との角度が変えられるため、傾斜地の傾斜角に応じて最適な凹部５にピン３を収めることによって、坐面を水平に保つことができる。そのことにより、傾斜地に椅子を簡単に設置できることを実現する。【選択図】図３
2005296189.tif 000002
【特許請求の範囲】
【請求項１】
折りたたみ椅子の、前脚と後脚の交差部の一方の脚に幾つかの凹部を設けた任意の長さの溝をあけ、他方の脚の中心に固定したピンが溝を移動できて、任意の凹部に収まることで折りたたみ椅子の坐面と脚の接地面との角度が調節できることを特徴とした折りたたみ椅子の折りたたみ部構造。
【発明の詳細な説明】
【技術分野】
【０００１】
本発明は、傾斜地で使える折りたたみ椅子の折りたたみ部構造に関するものである。
【背景技術】
【０００２】
折りたたみ椅子は、収納に場所をとらず必要に応じて携帯できて、簡単に設置できる利点があるので、キャンプや野外活動等で広く利用されている。
【０００３】
しかし、折りたたみ椅子に限らず殆どの椅子は平坦な床面や平地で使用することを前提としているため、僅かでも傾斜がある場所で使用すると坐面が傾き、脚の一方に重心がかかって椅子が不安定になって転倒の危険があるという欠点があった。
【０００４】
傾斜地の多い野外において、この欠点は椅子の設置場所が平地に限られるなど、使用場所が限定されるなどの不便さがあった。
【０００５】
この改善策として、傾斜地に椅子を設置しようとする場合は地面を水平にならすか、低いほうの脚の下に石や板などの詰め物をして坐面を水平に保つ方法がある。しかしこれらの方法では、不必要な自然環境の破壊や、目的の場所に簡単に設置できないなどの問題があった。
【非特許文献１】中川祐二著  「はじめてのオートキャンプ」地球丸  １９９７年
【発明の開示】
【発明が解決しようとする課題】
【０００６】
解決しようとする問題点は、傾斜地に椅子を設置する場合に自然環境への影響を最小限におさえ、簡単にかつ安全に設置できなかった点である。
【課題を解決するための手段】
【０００７】
本発明は、交差する前脚と後脚の一方の脚の中心点をずらす事によって、折りたたみ椅子の脚の接地面と坐面との角度が変えられるため、椅子を設置しようとする傾斜地の傾斜角に応じて坐面を水平に保つことができることを最も主要な特徴とする。
【発明の効果】
【０００８】
本発明の折りたたみ椅子の折りたたみ部構造は、交差する前脚と後脚の脚のどちらか一方の中心点をずらす事によって脚の接地面と坐面との角度か変えられるため、椅子を設置しようとする傾斜地の傾斜角に応じて坐面を水平に保つことができ、また、傾斜がきつくなるほど前脚と後脚の接地部の間隔が広くなるので椅子がより安定するという利点がある。
【発明を実施するための最良の形態】
【０００９】
傾斜地でも簡単にかつ安全に折りたたみ椅子を設置するという目的を、最小の部品点数と折りたたみ部構造の簡単な加工によって実現した。
【実施例１】
【００１０】
図１は、本発明の折りたたみ部構造を設けた実施例の折りたたみ椅子の斜視図であって、前脚１と後脚２の交点に、後脚２の上端８と接地部９の中心に固定したピン３が設けてある。また前脚の上端７と後脚の上端８は布などの坐面６で繋がれている。
【００１１】
図２は、本発明の実施例の側面図であって、前脚１に幾つかの凹部５を設けた任意の長さの溝４が開けられてあり、後脚２に固定されているピン３は溝４を移動して凹部５の何れかに収まる様に設けられてある。また、坐面６に加重が加わることにより、ピン３は凹部５から容易に外れないようにする。
【００１２】
図３は、本発明の実施例の使用説明図であって、後脚２の上端８と接地部９の中心に固定されたピン３が、前脚１の上端７と接地部10の中心で交差する場合、左右対称の構造になり、平坦地１１に設置すると坐面６は水平になる。また、後脚２に固定されたピン３が前脚１の上端７と接地部10の中心を外れて設けられている任意の凹部５で交差する場合は左右非対称の構造となり、傾斜地１２に設置すると坐面は水平になる。さらに、前脚の上端７と後脚の上端８は坐面６で繋がっているので、後脚の中心に固定されたピン３が前脚の上端７に近付くほど前脚の接地部１０と後脚の接地部９の間隔が広くなる。
【産業上の利用可能性】
【００１３】
折りたたみ椅子の折りたたみ部構造は、前脚と後脚を交差する折りたたみベンチ、折りたたみテーブル、折りたたみゴミ袋ハンガーなど基本構造を同じくする構造物の用途にも幅広く応用できる。
【図面の簡単な説明】
【００１４】
【図１】傾斜地で使える折りたたみ椅子の折りたたみ部構造を設けた折りたたみ椅子の斜視図である。（実施例１）
【図２】傾斜地で使える折りたたみ椅子の折りたたみ部構造の側面図である。（実施例1）
【図３】傾斜地で使える折りたたみ椅子の折りたたみ部構造を設けた折りたたみ椅子の使用説明図である。（実施例1）
【符号の説明】
【００１５】
１    前脚
２    後脚
３    ピン
４    溝
５    凹部
６    坐面
７    前脚の上端
８    後脚の上端
９    後脚の接地部
10   前脚の接地部
11   平坦地
12   傾斜地
【図１】
2005296189.tif 000003
【図２】
2005296189.tif 000004
【図３】
2005296189.tif 000005